(57)【要約】【課題】携帯機器９の充電中に携帯機器９の姿勢を安定させることができる。【解決手段】本発明の携帯機器用充電器１は、上部が開口し、内部に電池８を収納するための収納室３を有する収納ケース２と、収納ケース２の上部に装着され、開口を塞ぐ上蓋４と、携帯機器９に接続し充電電力を供給するためのコネクタ５と、収納ケース２の下部に装着され、収納ケース２の側方に向けて出没可能な引出板６と、を備え、引出板６は、側方の端部が上方に屈曲する屈曲部７を備える。【選択図】図１
2014236608.tif 000002
【特許請求の範囲】
【請求項１】
上部が開口し、内部に電池を収納するための収納室を有する収納ケースと、
前記収納ケースの上部に装着され、前記開口を塞ぐ上蓋と、
携帯機器に接続し充電電力を供給するためのコネクタと、
前記収納ケースの下部に装着され、前記収納ケースの側方に向けて出没可能な引出板と、を備え、
前記引出板は、前記側方の端部が上方に屈曲する屈曲部を備える携帯機器用充電器。
【請求項２】
前記収納ケースは、下部の外表面から没し、かつ、側方に開口する第一凹没部を備え、前記引出板は前記第一凹没部に装着される請求項１に記載の携帯機器用充電器。
【請求項３】
前記第一凹没部は、平面視で四角形を有し、四角形の一辺が側方に開口し、四角形の他の対向する二辺の内側面に前記引出板の出没方向を案内する第一案内溝が形成され、
前記引出板は、平面視で四角形を有し、出没方向に直交する方向の側面には前記第一案内溝に係合する係合凸部を備える請求項２に記載の携帯機器用充電器。
【請求項４】
前記第一凹没部はその底面に第二案内溝を備え、前記引出板は前記第一凹没部の底面の側に前記第二案内溝に係合する突起部を備え、前記第二案内溝により前記引出板の出方向の移動が制限される請求項２又は３に記載の携帯機器用充電器。
【請求項５】
前記コネクタはコードを介して前記収納ケースに接続され、
前記収納ケースは、側面に前記コードと前記コネクタを装着するための第二凹没部を備える請求項１〜４のいずれか一項に記載の携帯機器用充電器。
【請求項６】
前記収納ケースは、下部に装着される下部ケースを含み、前記引出板は前記下部ケースに装着される請求項１に記載の携帯機器用充電器。
【請求項７】
前記下部ケースは、下方に開口する開口窓と、前記開口窓を塞ぐ窓蓋とを備え、
前記下部ケースの内側に前記開口窓に連通する収納小室を備える請求項６に記載の携帯機器用充電器。
【請求項８】
前記収納ケースは外部に露出するスイッチとランプとを備え、前記スイッチにより前記コネクタへの充電電力の供給と、前記ランプの点灯が制御される請求項１〜６のいずれか一項に記載の携帯機器用充電器。
【発明の詳細な説明】
【技術分野】
【０００１】
本発明は、携帯機器の二次電池を充電するための携帯機器用充電器に関する。
【背景技術】
【０００２】
携帯電話機等の携帯機器が普及している。携帯機器は二次電池を搭載し、持ち運びが自由で場所を選ばずに利用することができる。二次電池の電力が消費されたときは商業用電源や非常用充電器から電力を充電して使用する。携帯機器の電力が、屋外などの商業用電源を利用できない場所で消費されたときは、電池や太陽電池が装着された携帯型の充電器を利用することができる。
【０００３】
例えば、特許文献１には携帯機器用充電器が記載されている。携帯機器用充電器は、表面に太陽電池パネルが設置され、内部に電子部品基板ユニットやバッテリーが収納される。携帯機器用充電器の端部には突没可能に装着される充電コネクタが設置される。充電コネクタは１８０°の角度に回動可能に設けられ、充電コネクタを突出させると充電器の本体を起立させる台として機能し、充電器の本体を傾斜して起立した状態を維持することができる。太陽電池パネルを光源方向に傾斜させて維持すれば、受光面を太陽光線の入射方向に向けてソーラー充電を効率的に行うことができる。
【先行技術文献】
【特許文献】
【０００４】
【特許文献１】特開２０１０−６８５９１号公報
【発明の概要】
【発明が解決しようとする課題】
【０００５】
近年、携帯機器は高機能化し、これに伴って消費電力が増大している。一方、携帯機器は持ち運びの利便性を確保するためには小型・軽量であることが必須である。その結果、携帯機器の二次電池は電池容量が限定され、ユーザーは頻繁に充電して利用することを強いられる。しかし、充電には長時間要し、充電中でも携帯機器を利用したい場合が多くある。屋内の机上で充電する場合には、充電中に容易に携帯機器を利用することができる。しかし、携帯機器を安定した位置に設置できないような場所で充電する場合、例えば屋外で充電する場合には、携帯機器の位置が安定せず、充電しながら携帯機器を利用することが難い場合が多い。
【０００６】
そこで、本発明は上記欠点を除去し、充電中でも携帯機器の表示画面を見やすい角度に安定させて利用することが可能な携帯機器用充電器を提供することを目的とする。
【課題を解決するための手段】
【０００７】
本発明の携帯機器用充電器は、上部が開口し、内部に電池を収納するための収納室を有する収納ケースと、前記収納ケースの上部に装着され、前記開口を塞ぐ上蓋と、携帯機器に接続し充電電力を供給するためのコネクタと、前記収納ケースの下部に装着され、前記収納ケースの側方に向けて出没可能な引出板と、を備え、前記引出板は、前記側方の端部が上方に屈曲する屈曲部を備えることとした。
【０００８】
また、前記収納ケースは、下部の外表面から没し、かつ、側方に開口する第一凹没部を備え、前記引出板は前記第一凹没部に装着されることとした。
【０００９】
また、前記第一凹没部は、平面視で四角形を有し、四角形の一辺が側方に開口し、四角形の他の対向する二辺の内側面に前記引出板の出没方向を案内する第一案内溝が形成され、前記引出板は、平面視で四角形を有し、出没方向に直交する方向の側面には前記第一案内溝に係合する係合凸部を備えることとした。
【００１０】
また、前記第一凹没部はその底面に第二案内溝を備え、前記引出板は前記第一凹没部の底面の側に前記第二案内溝に係合する突起部を備え、前記第二案内溝により前記引出板の出方向の移動が制限されることとした。
【００１１】
また、前記コネクタはコードを介して前記収納ケースに接続され、前記収納ケースは、側面に前記コードと前記コネクタを装着するための第二凹没部を備えることとした。
【００１２】
また、前記収納ケースは、下部に装着される下部ケースを含み、前記引出板は前記下部ケースに装着されることとした。
【００１３】
また、前記下部ケースは、下方に開口する開口窓と、前記開口窓を塞ぐ窓蓋とを備え、前記下部ケースの内側に前記開口窓に連通する収納小室を備えることとした。
【００１４】
また、前記収納ケースは外部に露出するスイッチとランプとを備え、前記スイッチにより前記コネクタへの充電電力の供給と、前記ランプの点灯が制御されることとした。
【発明の効果】
【００１５】
本発明の携帯機器用充電器は、上部が開口し、内部に電池を収納するための収納室を有する収納ケースと、収納ケースの上部に装着され、開口を塞ぐ上蓋と、携帯機器に接続し充電電力を供給するためのコネクタと、収納ケースの下部に装着され、収納ケースの側方に向けて出没可能な引出板と、を備え、引出板は、側方の端部が上方に屈曲する屈曲部を備える。これにより、収納ケースを背もたれにして充電中の携帯機器を引出板に載置することにより携帯機器の位置が安定し、充電しながら携帯機器を容易に利用することができる。
【図面の簡単な説明】
【００１６】
【図１】本発明の第一実施形態に係る携帯機器用充電器の説明図である。
【図２】本発明の第一実施形態に係る携帯機器用充電器により携帯機器を充電している状態を表す。
【図３】本発明の第二実施形態に係る携帯機器用充電器の模式的な斜視図である。
【図４】本発明の第二実施形態に係る携帯機器用充電器の説明図である。
【発明を実施するための形態】
【００１７】
（第一実施形態）
図１は、本発明の第一実施形態に係る携帯機器用充電器１の説明図である。図１（ａ）は、上蓋４を外し、引出板６を引き出した状態の携帯機器用充電器１を斜め前方から見る模式的な斜視図であり、図１（ｂ）は、引出板６を引き出した状態の携帯機器用充電器１を下方から見る模式的な斜視図であり、図１（ｃ）は、携帯機器用充電器１を斜め後方から見る模式的な斜視図である。
【００１８】
図１に示すように、携帯機器用充電器１は全体として略直方体の形状を有する。携帯機器用充電器１は、電池を収納する収納ケース２と、収納ケース２の上部に設置する上蓋４と、充電電力供給用のコネクタ５と、下部に設置される引出板６とを備える。収納ケース２は、上部が開口し、内部に電池８を収納する収納室３を有する。上蓋４は収納ケース２の上部に装着され、収納ケース２の上部開口を塞ぐ。コネクタ５は携帯機器に接続し充電電力を供給する。引出板６は、収納ケース２の下部に装着され、収納ケース２の側方に向けて出没可能に設置される。引出板６は、出方向（引出し方向）である側方の端部が上方に屈曲する屈曲部７を備える。
【００１９】
具体的に説明する。収納ケース２は上面視で略四角形を有し、収納ケース２の上部には上蓋４が設置される。収納室３は電池８、例えば単３乾電池が４本収納可能な容積を備える。上蓋４は収納室３の上部の全面を覆う。収納ケース２から上蓋４を取り外すと収納室３の上部全面が開放されるので、収納室３への電池８の着脱を極めて容易に行うことができる。
【００２０】
収納ケース２は、下部の外表面から没し、かつ、側方に開口する第一凹没部１０を備え、引出板６はこの第一凹没部１０に装着される。第一凹没部１０は、平面視で四角形を有し、四角形の一辺が側方に開口する。第一凹没部１０の他の対向する二辺の内側面に引出板６の出没方向を案内する第一案内溝１１が形成される。引出板６は、平面視で四角形を有し、引出方向に直交する方向の２つの側面には第一案内溝１１に係合する係合凸部１３を備える。これにより、引出板６を収納ケース２の側方にスムーズに引出し、押し込んで収納することができる。引出板６の外表面は収納ケース２の下部の外表面と面一に構成される。
【００２１】
コネクタ５はコード１５を介して収納ケース２に接続される。収納ケース２は、引出板６の引出方向とは反対側の側面にコード１５とコネクタ５を収納するための第二凹没部１６を備える。第二凹没部１６は、コード１５とコネクタ５を収納ケース２の側面と面一に或いは側面から没するように収納することができる。
【００２２】
図２は、本発明の第一実施形態に係る携帯機器用充電器１により携帯機器９を充電している状態を表す。収納ケース２の第一凹没部１０から引出板６を引出し、コネクタ５及びコード１５を収納ケース２の側面から取り外して携帯機器９のコネクタ受部に接続し、収納ケース２を背もたれにして引出板６の上部であり屈曲部７の内側に携帯機器９を立て掛けて充電することができる。これにより、充電中に平坦面の無い場所や屋外で携帯機器９の姿勢を容易に安定させることができる。
【００２３】
（第二実施形態）
図３及び図４は、本発明の第二実施形態に係る携帯機器用充電器１の説明図である。図３は本発明の第二実施形態に係る携帯機器用充電器１の模式的な斜視図である。図４は携帯機器用充電器１の説明図である。図４（ａ）は、携帯機器用充電器１の幅方向の一方側の側面模式図であり、図４（ｂ）は、長手方向の一方側の側面模式図、上面模式図、及び長手方向の他方側の側面模式図であり、図４（ｃ）は幅方向の他方側の側面模式図であり、図４（ｄ）は下面模式図であり、図４（ｅ）は、コネクタ５を第二凹没部１６から取り外した状態の上面模式図である。同一の部分又は同一の機能を有する部分には同一の符号を付している。
【００２４】
図３及び図４に示すように、携帯機器用充電器１は全体として板かまぼこの形状を有する。携帯機器用充電器１は、電池８を収納する収納ケース２と、収納ケース２の上部に設置する上蓋４と、充電電力供給用のコネクタ５と、下部に設置される引出板６とを備える。収納ケース２は、上部が開口し、内部に電池８を収納する収納室３を有する。上蓋４は収納ケース２の上部に装着され、収納ケース２の上部開口を塞ぐ。コネクタ５は携帯機器に接続し充電電力を供給する。引出板６は、収納ケース２の下部に装着され、収納ケース２の側方に向けて出没可能に設置される。引出板６は、更に、側方の端部が上方に屈曲する屈曲部７を備え、携帯機器を引出板６に載置したときに携帯機器の滑り止めとして機能する。
【００２５】
具体的に説明する。収納ケース２は本体ケース２ａと本体ケース２ａの下部に装着される下部ケース２ｂを備える。本体ケース２ａの上部に上蓋４が装着され、下部ケース２ｂの底部に外表面から没し、かつ、側方に開口する第一凹没部１０を備える。本体ケース２ａは、長手方向の一方端に側壁部２３を備え、側壁部２３の外表面は上蓋４の外表面と面一に形成され、側壁部２３の頂部には充電中に点灯するＬＥＤからなるランプ２２が設置される。上蓋４は、上面視で長方形を有し、長手方向に直交する幅方向が上方に凸のドーム形を有する。下部ケース２ｂは本体ケース２ａの下部にビス２５によりビス止めされる。
【００２６】
第一凹没部１０には引出板６が装着される。第一凹没部１０は平面視で四角形を有し、四角形の一辺が側方に開口し、四角形の他の対向する二辺の内側面に引出板６の出没方向を案内する第一案内溝１１が形成される。引出板６は、平面視で四角形を有し、出没方向に直交する方向の２つの側面には第一案内溝１１に係合する係合凸部１３を備える。第一凹没部１０はその底面に第二案内溝１２を備え、引出板６は第一凹没部１０の底面の側に第二案内溝１２に係合する突起部１４を備え、第二案内溝１２により引出板６の出方向の移動が制限される。
【００２７】
下部ケース２ｂは、下方に開口する開口窓１８と、この開口窓１８の開口を塞ぐ窓蓋１９を備える。下部ケース２ｂの内側には開口窓１８に連通する収納小室２０を備え、携帯機器と接続するためのコネクタ１７等を収納可能とする。なお、電池８を収納する収納室３と、コネクタ１７等を収納する収納小室２０とは図示しない仕切り板により仕切られている。下部ケース２ｂは、引出板６が出没する側とは反対側の側面にコード１５とコード１５に接続するコネクタ５を装着するための第二凹没部１６を備える。コード１５及びコネクタ５は携帯機器に充電するための充電電力を供給する。第二凹没部１６にはコード１５及びコネクタ５が下部ケース２ｂの外表面から没するように装着することができる。
【００２８】
下部ケース２ｂは、引出板６が出没する側の外表面にスイッチ２１を備える。スイッチ２１を操作してコネクタ５に充電電力を供給し、同時にランプ２２が点灯する。下部ケース２ｂは、更に、長手方向の一方側の側面に外部電力を入力するための給電コネクタ２４を備える。例えば、収納ケース２に装着する電池８を二次電池とし、この二次電池に充電するための電力を給電コネクタ２４を介して入力する。
【００２９】
そして、図２に示すように、携帯機器９の充電中に携帯機器９を収納ケース２及び引出板６に確実に立て掛けることができ、平坦面の無い場所や屋外で携帯機器９の姿勢を容易に安定させることができる。なお、本実施形態における携帯機器用充電器１は、例えば、長さが１１２ｍｍ、幅が３５ｍｍ、高さが２７ｍｍの大きさを有し、手軽に持ち運ぶことができる。
【符号の説明】
【００３０】
１  携帯機器用充電器
２  収納ケース  ２ａ  本体ケース、２ｂ下部ケース
３  収納室
４  上蓋
５  コネクタ
６  引出板
７  屈曲部
８  電池
９  携帯機器
１０  第一凹没部
１１  第一案内溝
１２  第二案内溝
１３  係合凸部
１４  突起部
１５  コード
１６  第二凹没部
１７  他のコネクタ
１８  開口窓
１９  窓蓋
２０  収納小室
２１  スイッチ
２２  ランプ
２３  側壁部
２４  給電コネクタ
２５  ビス
【図１】
2014236608.tif 000003
【図２】
2014236608.tif 000004
【図３】
2014236608.tif 000005
【図４】
2014236608.tif 000006